(57)【要約】【課題】挟持型の補助電極と素子電極との接続精度および信頼性を向上させた照明用有機ＥＬパネルを提供する。【解決手段】照明用有機ＥＬパネル１は、ＥＬ発光層が積層してある透明基板１１、透明基板１１の裏面の外周に導出された素子電極１２、素子電極１２に当接して接続され外部から電力を供給する補助電極１３、ＥＬ発光層を封止して保護する封止部１４を備える。補助電極１３は、透明基板１１と平面状に接触する第１当接部１３ｆと、第１当接部１３ｆに対向して配置され素子電極１２と平面状に接触する第２当接部１３ｓと、第１当接部１３ｆおよび第２当接部１３ｓを連結して透明基板１１および素子電極１２を挟持する連結部１３ｂとを備える。第２当接部１３ｓは第１当接部１３ｆに対して分割された分割板部１３ｓｄで構成してある。連結部１３ｂは第２当接部１３ｓと連結する側に弾性を持たせた弾性曲部１３ｂｃを有する。【選択図】図１
2008269988.tif 000002
【特許請求の範囲】
【請求項１】
光放出面を有する透明基板と、前記光放出面の反対側で前記透明基板に対向して配置された封止部と、該封止部の外周に導出され前記透明基板に配置された素子電極と、該素子電極に当接して外部から電力を供給する補助電極とを備える照明用有機ＥＬパネルであって、
前記補助電極は、前記透明基板の辺方向に延長され前記透明基板と平面状に接触する第１当接部と、該第１当接部に対向して配置され前記素子電極と平面状に接触する第２当接部と、前記第１当接部および前記第２当接部を連結して前記透明基板および前記素子電極を挟持する連結部とを備え、
前記第２当接部は前記第１当接部に対して分割された分割板部で構成してあり、前記連結部は前記第２当接部と連結する側に弾性曲部を有すること
を特徴とする照明用有機ＥＬパネル。
【請求項２】
前記弾性曲部の前記透明基板からの高さは前記封止部の高さより低くしてあることを特徴とする請求項１に記載の照明用有機ＥＬパネル。
【請求項３】
前記連結部は、外部へ導出されるリード線を接続する接続穴を有することを特徴とする請求項１または請求項２に記載の照明用有機ＥＬパネル。
【請求項４】
前記弾性曲部は、湾曲または屈折させて形成してあることを特徴とする請求項１ないし請求項３のいずれか一つに記載の照明用有機ＥＬパネル。
【請求項５】
前記分割板部の幅は、隣接する前記分割板部が構成する切断幅に対して５倍以上としてあることを特徴とする請求項１ないし請求項４のいずれか一つに記載の照明用有機ＥＬパネル。
【発明の詳細な説明】
【技術分野】
【０００１】
本発明は、補助電極を備えるエレクトロルミネッセンス（ＥＬ）素子を適用した照明用有機ＥＬパネルに関する。
【背景技術】
【０００２】
近年、ＥＬ素子、特に有機ＥＬ素子の開発が進み平面状の光源体として注目を集めている。有機ＥＬ素子は、プラス電極とマイナス電極との間に蛍光性有機化合物を含む有機薄膜をＥＬ発光層として挟持し、各電極から電子およびホール（正孔）を有機薄膜に注入して有機薄膜内の電子を励起し、励起された電子が基底状態に戻るときに放射される光を外部に取り出すものである。
【０００３】
このようなＥＬ素子では、平面状の電極を形成すること、ＥＬ発光層からの光を外部に取り出すこと、有機薄膜を形成すること、耐湿性を向上することなどが必要であることから、透明基板および封止部として一般的にガラス基板が用いられている。透明基板および封止部として使用されるガラス基板は、ＥＬ素子の生産性を向上するためにできるだけ薄く構成され、通常は数ｍｍ程度の薄いものとされている。
【０００４】
また、ＥＬ発光層からの光を外部に取り出す必要があることから、電極（素子電極）として透明電極を用いる。透明電極（素子電極）としては、透明性が良いこと、製造が容易であることなどから一般的にＩＴＯ（酸化インジウム錫）が用いられている。
【０００５】
素子電極として使用されるＩＴＯは、導電体ではあるが、抵抗率が高く、外部端子との局部的な接続からの給電ではＩＴＯの抵抗による電圧降下が大きく、ＥＬ発光層へ供給される電力が接続点から離れるにしたがって減少することから、輝度バラツキを生じること、また、大面積のものを構成できないことなどの問題があった。
【０００６】
ＩＴＯが有する高抵抗としての問題を解決して大面積で発光する光源体とするために、素子電極に対向接触させた補助電極を用いた照明用有機ＥＬパネルが提案されている。例えば、板状の導体を補助電極とした照明用有機ＥＬパネル（例えば、特許文献１参照。）、あるいは、配線基板を補助電極として照明用有機ＥＬパネル（例えば、特許文献２参照。）が知られている。また、特許文献１、特許文献２には、素子電極と補助電極との接続に例えば導電性接着剤を適用することが開示されている。その他の補助電極を開示した例として特許文献３などが知られている。
【０００７】
素子電極と補助電極との間に適用される導電性接着剤は、素子電極と補助電極とを接着するが、接着が十分でなく剥がれたり、空洞を生じたりすることがある。導電性接着剤による補助電極の素子電極に対する接着が十分でない場合には、補助電極はその機能を十分に発揮することができず、ＩＴＯの高抵抗に起因する影響を低減することができず、十分な均一性を有する高輝度の発光面を実現することができないという問題がある。
【０００８】
また他方では、素子電極と補助電極との間に導電性接着剤を適用しないで素子電極を挟持する形態の補助電極あるいは接続機構が提案されている（例えば、特許文献４、特許文献５参照。）。
【０００９】
図６は、平面状光源体に適用された従来の挟持型補助電極の形態を示す平面図である。図７は、図６に示した平面状光源体の補助電極の挟持状態を説明する説明図であり、（Ａ）は図６の矢符Ｘ−Ｘでの断面の端面を示す端面図であり、（Ｂ）は図６の矢符Ｙ−Ｙでの断面の端面を示す端面図であり、（Ｃ）は（Ｂ）の挟持不良状態を示す端面図である。
【００１０】
平面状光源体１０１は、光源本体１１１の周辺の端部に電極１１２を備え、電極１１２は、弾性（バネ性）を持たせた補助電極１１３で挟持される構成としてある。つまり、補助電極１１３は、電極１１２に圧接されることにより接触し、相互の導通を図る構成としてある。したがって、電極１１２と補助電極１１３の間では導電性接着剤を用いることなく、導通を取ることが可能となっている。
【００１１】
しかし、平面状光源体１０１の面積が大きくなり、端部の長さが長くなって、補助電極１１３の長さが長くなると、挟持構造を精度良く構成することが困難となる。例えば、光源本体１１１の平面形状の１辺が非常に長くなった場合、光源本体１１１の厚さは、有機ＥＬ素子の場合には高々数ｍｍ程度であることから、挟持構造の加工精度は非常に高いものが要求される。
【００１２】
したがって、加工バラツキ（加工不良）あるいは弾性バラツキが存在すると、図７（Ｃ）で示すように、素子電極１１２に対して補助電極１１３は、一部のみで接触し、全体としての接触がなされない状態となることがある。つまり、補助電極１１３が素子電極１１２に対して正常に接触しないことから外部からの電力供給が正常に行われない状態となり、素子電極１１２の抵抗に起因する電圧降下に伴う発光バラツキを生じることとなる。
【００１３】
また、無理に補助電極１１３の全体を素子電極１１２に接触させようとして挟持圧力を強くすると、素子電極１１２および光源本体１１１に対して局部的に大きな圧力が印加されることとなり、例えばガラスなどの透明基板で構成される光源本体１１１に割れ、ひびなどが生じる恐れがあり、信頼性の低下をもたらすという問題がある。
【００１４】
上述したとおり、素子基板および封止基板として使用されるガラス基板は、ＥＬ発光素子の生産性を向上するためにできるだけ薄く構成され、通常は数ｍｍ程度の薄いものとされている。したがって、従来のＥＬ発光素子は、機械的強度が弱いことから外力の影響を受けやすく、損傷しやすいこと、また、大面積のものを構成できないことなどの問題があった。
【００１５】
また、素子電極として使用されるＩＴＯは、導電体ではあるが、抵抗率が高く、外部端子との局部的な接続からの給電ではＩＴＯの抵抗による電圧降下が大きく、ＥＬ発光層へ供給される電力が接続点から離れるにしたがって減少することから、輝度バラツキを生じること、また、大面積のものを構成できないことなどの問題があった。
【特許文献１】特開２００６−２２８４５７号公報
【特許文献２】特開２００６−２２８４５６号公報
【特許文献３】特開２００６−２０２７１７号公報
【特許文献４】特開２００５−１７４９２６号公報
【特許文献５】実開昭６３−６６７４号公報
【発明の開示】
【発明が解決しようとする課題】
【００１６】
本発明はこのような状況に鑑みてなされたものであり、素子電極に外部から電力を供給する補助電極を挟持型として素子電極に当接する当接部を分割することにより、挟持型の補助電極による透明基板および素子電極への圧力を分散させ、透明基板の辺方向で均一かつ高精度に素子電極と補助電極とを圧接させて、補助電極と素子電極との接続精度および信頼性を向上させた照明用有機ＥＬパネルを提供することを目的とする。
【課題を解決するための手段】
【００１７】
本発明に係る照明用有機ＥＬパネルは、光放出面を有する透明基板と、前記光放出面の反対側で前記透明基板に対向して配置された封止部と、該封止部の外周に導出され前記透明基板に配置された素子電極と、該素子電極に当接して外部から電力を供給する補助電極とを備える照明用有機ＥＬパネルであって、前記補助電極は、前記透明基板の辺方向に延長され前記透明基板と平面状に接触する第１当接部と、該第１当接部に対向して配置され前記素子電極と平面状に接触する第２当接部と、前記第１当接部および前記第２当接部を連結して前記透明基板および前記素子電極を挟持する連結部とを備え、前記第２当接部は前記第１当接部に対して分割された分割板部で構成してあり、前記連結部は前記第２当接部と連結する側に弾性曲部を有することを特徴とする。
【００１８】
この構成により、挟持型の補助電極による透明基板および素子電極への圧力を分散させて低減し、透明基板の辺方向で均一かつ高精度に素子電極と補助電極とを圧接させることが可能となるので、補助電極と素子電極との接続精度および信頼性を向上させることができる。また、弾性曲部を第２当接部の側に有することから、光放出面の側での平面性を確保して補助電極を薄型にし照明用有機ＥＬパネルを薄型化することが可能となる。
【００１９】
また、本発明に係る照明用有機ＥＬパネルでは、前記弾性曲部の前記透明基板からの高さは前記封止部の高さより低くしてあることを特徴とする。
【００２０】
この構成により、照明用有機ＥＬパネルの全体（外形）の厚さを確実に薄くすることが可能となる。
【００２１】
また、本発明に係る照明用有機ＥＬパネルでは、前記連結部は、外部へ導出されるリード線を接続する接続穴を有することを特徴とする。
【００２２】
この構成により、第１当接部および第２当接部の平面性を高精度に確保して補助電極の素子電極に対する密着性を向上させた状態で、連結部が形成する空間を有効に活用することができる。
【００２３】
また、本発明に係る照明用有機ＥＬパネルでは、前記弾性曲部は、湾曲または屈折させて形成してあることを特徴とする。
【００２４】
この構成により、弾性曲部を容易に構成することが可能となる。
【００２５】
また、本発明に係る照明用有機ＥＬパネルでは、前記分割板部の幅は、隣接する前記分割板部が構成する切断幅に対して５倍以上としてあることを特徴とする。
【００２６】
この構成により、素子電極の抵抗による電位のバラツキを確実に抑制することが可能となる。
【発明の効果】
【００２７】
本発明に係る照明用有機ＥＬパネルによれば、挟持型の補助電極を、透明基板の辺方向に延長され透明基板と平面状に接触する第１当接部と、第１当接部に対向して配置され素子電極と平面状に接触する第２当接部と、第１当接部および第２当接部を連結して透明基板および素子電極を挟持する連結部とで構成し、第２当接部は第１当接部に対して分割された分割板部とし、連結部は第２当接部と連結する側に弾性曲部を有する構成としてあることから、透明基板の辺方向で分散させた挟持圧力により均一かつ高精度に素子電極と補助電極とを圧接させることが可能となるので、補助電極と素子電極との接続精度および信頼性を向上させることができるという効果を奏する。また、弾性曲部を第２当接部の側に形成することから、光放出面の側での平面性を確保して補助電極を薄型にし照明用有機ＥＬパネルを薄型化することが可能となるという効果を奏する。
【発明を実施するための最良の形態】
【００２８】
以下、本発明の実施の形態に係る照明用有機ＥＬパネルを図１ないし図４に基づいて説明する。
【００２９】
図１は、本発明の実施の形態に係る照明用有機ＥＬパネルを封止部側から見た平面図である。図２は、図１に示した照明用有機ＥＬパネルの断面構造を説明する説明図であり、（Ａ）は図１の矢符Ｘ−Ｘでの断面の端面を示す端面図であり、（Ｂ）は図１の矢符Ｙ−Ｙでの断面の端面を示す端面図である。図３は、図１に示した照明用有機ＥＬパネルに適用した補助電極を示す斜視図である。
【００３０】
本実施の形態に係る照明用有機ＥＬパネル１は、ＥＬ（エレクトロルミネッセンス）発光層（不図示）が積層して形成してある透明基板１１、透明基板１１の裏面（光放出面（発光面）１１ｄの反対側であり、ＥＬ発光層が積層されている面。）の外周に導出された素子電極１２（プラスの電位が印加されるプラス素子電極１２ｐとマイナスの電位が印加されるマイナス素子電極１２ｍとで構成される。以下、プラス素子電極１２ｐとマイナス素子電極１２ｍとを区別する必要がない場合には、単に素子電極１２とする。）、素子電極１２に当接して接続され外部から電力を供給する補助電極１３（プラス素子電極１２ｐに接続されるプラス補助電極１３ｐ、マイナス素子電極１２ｍに接続されるマイナス補助電極１３ｍとで構成される。以下、プラス補助電極１３ｐとマイナス補助電極１３ｍとを区別する必要がない場合には、単に補助電極１３とする。）、ＥＬ発光層を封止して保護する封止部１４を備える。
【００３１】
上述したとおり、照明用有機ＥＬパネル１は、相互に対向して配置された透明基板１１と封止部１４を備え、封止部１４の内側にＥＬ発光層が形成してある。またＥＬ発光層を挟んでプラス側に正孔輸送層（不図示）、マイナス側に電子輸送層（不図示）が形成してある。ＥＬ発光層を有機分子で構成したものが有機ＥＬ素子である。
【００３２】
照明用有機ＥＬパネル１は有機ＥＬ素子とすることにより、低電圧、低電流での駆動が可能となり、供給電力に対して発光輝度が大きく、発光効率の良い照明用有機ＥＬパネル１とすることができる。なお、照明用有機ＥＬパネル１のＥＬ発光層およびＥＬ発光層に積層される正孔輸送層、電子輸送層などの内部構造については種々のものが提案されており、上述した構造に限るものではない。
【００３３】
透明基板１１は、光放出面１１ｄから光を外部に導出するために透明性を要求され、また素子電極１２を形成する必要があることから例えばガラス基板で構成してある。
【００３４】
素子電極１２は、封止部１４に対向する透明基板１１の裏面に封止部１４の外周（辺）に沿って導出され延在配置してある。素子電極１２は透明性を要求されることから例えばＩＴＯ（酸化インジウム錫）で構成され、素子電極１２として相異なる極性（プラス、マイナス）を有する少なくとも２つの電極（上述したプラス素子電極１２ｐおよびマイナス素子電極１２ｍ）がそれぞれ形成してある。
【００３５】
クリップ状（挟持型）に構成されたプラス補助電極１３ｐは、プラス素子電極１２ｐに沿って対向配置され、透明基板１１およびプラス素子電極１２ｐの各面に当接されてプラス素子電極１２ｐに接続（圧接）される。また、プラス補助電極１３ｐと同様にクリップ状に構成されたマイナス補助電極１３ｍは、マイナス素子電極１２ｍに沿って配置され、透明基板１１およびマイナス素子電極１２ｍの各面に当接されてマイナス素子電極１２ｍに接続（圧接）される。
【００３６】
なお、封止部１４の外周の対向する２辺に配置された素子電極１２は、互いに同極性としてある。この構成により、光放出面１１ｄの対向する両辺に対応させて同一の電位を印加できることから、電力の供給バラツキを解消して輝度バラツキを抑制した大面積の発光が可能な照明用有機ＥＬパネル１とすることが可能となる。
【００３７】
補助電極１３は、透明基板１１の辺方向に延長され透明基板１１と平面状に接触する第１当接部１３ｆと、第１当接部１３ｆに対向して配置され素子電極１２と平面状に接触する第２当接部１３ｓと、第１当接部１３ｆおよび第２当接部１３ｓを連結して透明基板１１および素子電極１２を挟持する連結部１３ｂとを備える。
【００３８】
さらに、第２当接部１３ｓは第１当接部１３ｆに対して分割された分割板部１３ｓｄで構成してある。本実施の形態では、１つの第１当接部１３ｆに対して５つに分割した第２当接部１３ｓとしてある。また、連結部１３ｂは第２当接部１３ｓと連結する側に弾性（バネ性）を持たせた弾性曲部１３ｂｃを有する構成としてある。
【００３９】
つまり、補助電極１３は、弾性曲部１３ｂｃが有する弾性により、第１当接部１３ｆを透明基板１１に当接（密着）させ、第２当接部１３ｓを素子電極１２に当接（密着）させることが可能である。したがって、補助電極１３は、透明基板１１および素子電極１２を挟持して素子電極１２に接続（圧接）されることとなる。
【００４０】
また、連結部１３ｂは、弾性曲部１３ｂｃを第２当接部１３ｓと連結する側に備えることから、封止部１４の高さを利用して弾性曲部１３ｂｃを収納することが可能となる。したがって、弾性曲部１３ｂｃを設けた場合でも照明用有機ＥＬパネル１を薄型化することができる。
【００４１】
補助電極１３は、分割された第２当接部１３ｓ（分割板部１３ｓｄ）の幅Ｗ１の範囲で、第２当接部１３ｓと素子電極１２とを圧接（接続）させれば良いことから、接触抵抗を低減するのに必要な挟持圧力を均一に分散させて低減することが可能となり、補助電極１３に対する加工精度の許容範囲を大きくすることが可能となる。
【００４２】
したがって、連結部１３ｂ（弾性曲部１３ｂｃ）に必要な挟持強度（弾性）は、第２当接部１３ｓの小さい面積（分割板部１３ｓｄ）に対応させた小さい挟持圧力で良いことから、絶対値として小さい値で十分な挟持強度を確保することが可能となり、透明基板１１、素子電極１２を破損する原因である大きい挟持圧力を不要とすることができる。
【００４３】
なお、第１当接部１３ｆ、第２当接部１３ｓおよび連結部１３ｂは、板金加工により、一体に形成することが望ましい。また、弾性曲部１３ｂｃは連結部１３ｂを円弧状に湾曲させて構成してある。したがって、弾性曲部１３ｂｃの加工が容易となり、補助電極１３を安価に形成することが可能となる。
【００４４】
補助電極１３は、外部へ導出されるリード線を接続する接続穴１３ｈを連結部１３ｂに有する。この構成により、第１当接部１３ｆおよび第２当接部１３ｓの平面性を高精度に確保して補助電極１３の素子電極１２に対する密着性を向上させた状態で、連結部１３ｂが形成する空間を有効に活用することができる。したがって、外部からの電力を素子電極１２へ容易に供給することが可能となる。
【００４５】
第２当接部１３ｓの分割された各部（分割板部１３ｓｄ）の幅Ｗ１は、隣接する分割板部１３ｓｄが相互間で構成する切断幅Ｗ２に対して５倍以上としてある。この構成により切断幅Ｗ２を小さく限定して実質的に無視することが可能となり、素子電極１２の抵抗による透明基板１１の辺方向での電位のバラツキを確実に低減し、抑制することが可能となる。
【００４６】
照明用有機ＥＬパネル１は、弾性曲部１３ｂｃの透明基板１１からの高さＨ２を封止部１４の透明基板１１からの高さＨ１より低くしてある。この構成により、照明用有機ＥＬパネル１の全体（外形）の厚さを確実に薄くすることが可能となる。
【００４７】
補助電極１３は、例えばステンレススチールなどの導電率が高くバネ性のある金属板を適用して形成することができる。補助電極１３の板厚は、例えば、０．５ｍｍ程度ないし１ｍｍ程度とすることが可能である。補助電極１３はステンレススチールなどの金属の板材で構成されることから、素子電極１２としてのＩＴＯに比較して極めて高い導電性（低い抵抗率）を確保することが可能となり、素子電極１２の辺に沿う方向（辺方向）で素子電極１２に均一な電圧を印加することができる。
【００４８】
つまり、素子電極１２の辺方向での抵抗による電圧降下の影響を防止して、素子電極１２に均一な電圧を印加することができることから、ＥＬ発光層に均等な電力の供給を行なうことができるので、輝度バラツキの発生を防止することができる。
【００４９】
また、補助電極１３の素子電極１２に対応する側（第２当接部１３ｓ）を分割して分割板部１３ｓｄで構成することから、連結部１３ｂ（弾性曲部１３ｂｃ）は小さい挟持強度で良く、透明基板１１の辺方向での長さによる影響を排除することが可能となることから、大面積の光放出面１１ｄを有する照明用有機ＥＬパネル１とすることが可能となる。
【００５０】
上述したとおり、本実施の形態に係る照明用有機ＥＬパネル１は、光放出面１１ｄを有する透明基板１１と、光放出面１１ｄの反対側で透明基板１１に対向して配置された封止部１４と、封止部１４の外周に導出され透明基板１１に配置された素子電極１２と、素子電極１２に当接して外部から電力を供給する補助電極１３とを備える照明用有機ＥＬパネル１であって、補助電極１３は、透明基板１１の辺方向に延長され透明基板１１と平面状に接触する第１当接部１３ｆと、第１当接部１３ｆに対向して配置され素子電極１２と平面状に接触する第２当接部１３ｓと、第１当接部１３ｆおよび第２当接部１３ｓを連結して透明基板１１および素子電極１２を挟持する連結部１３ｂとを備え、第２当接部１３ｓは第１当接部１３ｆに対して分割してあり、連結部１３ｂは第２当接部１３ｓと連結する側に弾性曲部１３ｂｃを有することを特徴とする。
【００５１】
この構成により、透明基板１１および素子電極１２への補助電極１３による圧力を低減し、透明基板１１の辺方向で均一かつ確実に素子電極１２と補助電極１３とを接触させることが可能となるので、補助電極１３と素子電極１２との接触精度および信頼性を向上させることができる。また、弾性曲部１３ｂｃを第２当接部１３ｓの側（封止部１４の側）に形成することから、光放出面１１ｄの側での平面性を確保して補助電極１３を薄型にし照明用有機ＥＬパネル１を薄型化することが可能となる。
【００５２】
また、素子電極１２と補助電極１３との接続を導電性接着剤などによる接着ではなく、弾性による機械的な圧着により行なうことから、ＥＬ発光層に不具合が生じ透明基板１１を交換する必要が生じた場合に、極めて容易に交換を行なうことが可能となる。
【００５３】
図４は、本発明の実施の形態に係る照明用有機ＥＬパネルに適用する補助電極の変形例を示す断面図である。基本的には、図２（Ａ）と同様な状態を示してあるので主に異なる点について説明する。
【００５４】
図２の（Ａ）の場合では、弾性曲部１３ｂｃは連結部１３ｂを円弧状に湾曲させて構成したが、図４の場合は、連結部１３ｂを屈折させて形成してある。この構成により、弾性曲部１３ｂｃの加工が容易となり、補助電極１３を安価に形成することが可能となる。また、弾性による圧力の調整を容易に行なうことが可能となる。
【００５５】
図５は、本発明の実施の形態に係る照明用有機ＥＬパネルに適用する補助電極の接続例を示す断面図である。基本的には、図２（Ａ）と同様な状態を示してあるので主に異なる点について説明する。
【００５６】
図２の（Ａ）の場合では、補助電極１３と素子電極１２は直接接触する形態として構成したが、図５の場合は、補助電極１３と素子電極１２の間に例えば導電ゴムなどの弾性導電体１６を挿入してある。素子電極１２と補助電極１３とを弾性導電体１６を介して接続することから、素子電極１２、弾性導電体１６、補助電極１３の相互の接触面での密着性を向上させることが可能となり、より確実な接続性を確保することができる。
【図面の簡単な説明】
【００５７】
【図１】本発明の実施の形態に係る照明用有機ＥＬパネルを封止部側から見た平面図である。
【図２】図１に示した照明用有機ＥＬパネルの断面構造を説明する説明図であり、（Ａ）は図１の矢符Ｘ−Ｘでの断面の端面を示す端面図であり、（Ｂ）は図１の矢符Ｙ−Ｙでの断面の端面を示す端面図である。
【図３】図１に示した照明用有機ＥＬパネルに適用した補助電極を示す斜視図である。
【図４】本発明の実施の形態に係る照明用有機ＥＬパネルに適用する補助電極の変形例を示す断面図である。
【図５】本発明の実施の形態に係る照明用有機ＥＬパネルに適用する補助電極の接続例を示す断面図である。
【図６】平面状光源体に適用された従来の挟持型補助電極の形態を示す平面図である。
【図７】図６に示した平面状光源体の補助電極の挟持状態を説明する説明図であり、（Ａ）は図６の矢符Ｘ−Ｘでの断面の端面を示す端面図であり、（Ｂ）は図６の矢符Ｙ−Ｙでの断面の端面を示す端面図であり、（Ｃ）は（Ｂ）の挟持不良状態を示す端面図である。
【符号の説明】
【００５８】
１  照明用有機ＥＬパネル
１１  透明基板
１１ｄ  光放出面
１２  素子電極
１２ｍ  マイナス素子電極
１２ｐ  プラス素子電極
１３  補助電極
１３ｍ  マイナス補助電極
１３ｐ  プラス補助電極
１３ｆ  第１当接部
１３ｓ  第２当接部
１３ｓｄ  分割板部
１３ｂ  連結部
１３ｂｃ  弾性曲部
１３ｈ  接続穴
１４  封止部
１６  弾性導電体
Ｗ１  分割板部の幅
Ｗ２  切断幅
【図１】
2008269988.tif 000003
【図２】
2008269988.tif 000004
【図３】
2008269988.tif 000005
【図４】
2008269988.tif 000006
【図５】
2008269988.tif 000007
【図６】
2008269988.tif 000008
【図７】
2008269988.tif 000009